(57)【要約】【課題】簡単に施工できる浴槽用配管接続具を提供する。【解決手段】本発明は、浴槽壁を貫通する浴槽孔Ｈに取り付けられる浴槽用配管接続具を対象とする。本接続具は、浴槽壁外面の浴槽孔周辺に配置される槽外フランジ部材１と、浴槽壁内面の浴槽孔周辺に配置され、ねじ止め孔２３が設けられた槽内フランジ部材２と、頭部７２が槽内フランジ部材２のねじ止め孔周縁部に係止されるととともに、軸部７３がねじ止め孔２３に挿通されて、槽外フランジ部材１にねじ込み固定される連結ねじ７と、槽内フランジ部材２の槽内側にねじ止め固定される槽内取付部材３と、を備える。槽内フランジ部材２は、連結ねじ７の頭部７２を挿通可能な頭部挿通部２２と、頭部挿通部２２及びねじ止め孔２３間を連通し、かつ頭部挿通部２２に挿通配置された連結ねじ７をねじ止め孔２３まで案内するためのねじ案内溝２５とが設けられる。【選択図】      図１
2006174923.tif 000002
【特許請求の範囲】
【請求項１】
浴槽壁を貫通する浴槽孔に取り付けられる浴槽用配管接続具であって、
浴槽壁外面の浴槽孔周辺に配置され、外部配管を接続可能な外管接続部を有する槽外フランジ部材と、
浴槽壁内面の浴槽孔周辺に配置され、浴槽孔に対応してねじ止め孔が設けられた槽内フランジ部材と、
頭部が前記槽内フランジ部材の槽内側におけるねじ止め孔周縁部に係止されるととともに、軸部が前記ねじ止め孔に挿通されて、前記槽外フランジ部材にねじ込み固定される連結ねじと、
前記槽外フランジ部材の外管接続部に供給された温水を浴槽内に吐出するための吐出口を有し、前記槽内フランジ部材の槽内側にねじ止め固定される槽内取付部材と、を備え、
前記槽内フランジ部材は、前記連結ねじの頭部を挿通可能な頭部挿通部と、その頭部挿通部及び前記ねじ止め孔間を連通し、かつ前記頭部挿通部に挿通配置された前記連結ねじを前記ねじ止め孔まで案内するためのねじ案内溝とが設けられたことを特徴とする浴槽用配管接続具。
【請求項２】
前記連結ねじは２本設けられ、その２本の連結ねじに対応して、前記ねじ止め孔、前記ねじ案内溝及び前記頭部挿通部が２つずつ設けられる請求項１に記載の浴槽用配管接続具。
【請求項３】
前記頭部挿通部と前記ねじ止め孔とが前記槽内フランジ部材の中心位置から等距離に設けられるとともに、両孔間を連通する前記ねじ案内溝が前記槽内フランジ部材の中心位置を中心とする円弧線に沿って形成される請求項１又は２に記載の浴槽用配管接続具。
【請求項４】
前記槽内フランジ部材のねじ案内溝に、連結ねじが案内方向に対し逆方向に移動するのを阻止するための狭幅部が設けられる請求項１〜３のいずれか１項に記載の浴槽用配管接続具。
【請求項５】
前記槽内取付部材の槽外側には、前記吐出口に連通する連通パイプが設けられ、その連通パイプが前記槽内フランジ部材の頭部挿通部を通じて前記槽外フランジ部材の外管接続部に連通される請求項１〜４のいずれか１項に記載の浴槽用配管接続具。
【請求項６】
前記槽外フランジ部材の少なくとも一部が浴槽孔に挿通可能に、かつその挿通状態で浴槽孔内周面に係合可能に構成される請求項１〜５のいずれか１項に記載の浴槽用配管接続具。
【請求項７】
内周溝を有する環状パッキン部材がその内周溝に前記槽内フランジ部材の外周縁部を嵌め込むように配置され、
前記環状パッキン部材の一側壁部が前記槽内フランジ部材及び浴槽壁間における周縁部の水密を図るための第１パッキンとして構成されるとともに、他側壁部が前記槽内フランジ部材及び前記槽内取付部材間における周縁部の水密を図るための第２パッキンとして構成される請求項１〜６のいずれか１項に記載の浴槽用配管接続具。
【請求項８】
前記槽外フランジ部材の外管接続部は第１及び第２の２つの外管接続部を有し、
前記槽内取付部材に設けられた吸込口と前記第１外管接続部とが第１流路によって連通接続されるとともに、前記槽内取付部材に設けられた吐出口と前記第２外管接続部とが第２流路によって連通接続され、
浴槽内の水が前記吸込口から吸い込まれて、前記第１流路及び前記第１外管接続部を介して外部に排出されつつ、前記第２外管接続部に供給された温水が、前記第２流路及び前記吐出口を介して浴槽内に供給されるようにした請求項１〜７のいずれか１項に記載の浴槽用配管接続具。
【請求項９】
浴槽壁を貫通する浴槽孔に取り付けられる浴槽用配管接続具の施工方法であって、
外部配管を接続可能な外管接続部を有する槽外フランジ部材における槽内側に連結ねじの先端をねじ込んだねじ付き槽外フランジ部材と、
ねじ止め孔を有する槽内フランジ部材と、
前記外管接続部に供給された温水を浴槽内に吐出するための吐出口を有する槽内取付部材と、を準備し、
槽外側から前記ねじ付き槽外フランジ部材を浴槽壁外面の浴槽孔周辺に配置して、前記連結ねじの頭部を浴槽孔に通して槽内側に配置しておき、
槽内側から前記槽内フランジ部材を浴槽壁内面の浴槽孔周辺に配置するとともに、前記連結ねじを前記ねじ止め孔に配置し、その状態で前記連結ねじを前記槽外フランジ部材に締結することにより、前記槽外フランジ部材及び前記槽内フランジ部材を浴槽壁の浴槽孔周縁部に挟持させ、
次いで、前記槽内取付部材を前記槽内フランジ部材の槽内側に固定するようにしたことを特徴とする浴槽用配管接続具の施工方法。
【請求項１０】
前記槽内フランジ部材は、前記連結ねじの頭部を挿通可能な頭部挿通部と、前記頭部挿通部及び前記ねじ止め孔間を連通し、かつ前記連結ねじの軸部を挿通可能なねじ案内溝とが設けられ、
前記連結ねじを前記ねじ止め孔に配置するに際して、前記連結ねじの頭部を前記頭部挿通部に挿通してから、その連結ねじを前記ねじ案内溝を介して前記ねじ止め孔まで案内するようにした請求項９に記載の浴槽用配管接続具の施工方法。
【発明の詳細な説明】
【技術分野】
【０００１】
この発明は、温水供給用として浴槽壁に取り付けられる浴槽用配管接続具及びその施工方法に関する。
【背景技術】
【０００２】
従来、浴槽と給湯機とが配管接続されて、浴槽に対し湯はり処理や追い焚き処理を行うようにした浴槽用給湯システムが周知である。
【０００３】
このような浴槽用給湯システムにおいて、浴槽壁部の浴槽孔に貫通状態に設けられる配管接続具として、浴槽孔の槽外側に配置される槽外フランジ部材に対し、槽内側に配置される槽内フランジ部材をねじ止め固定して、内外両フランジ部材を浴槽孔周縁部に挟持させて組み付けるようにしたものが周知である。このような配管接続具は、浴槽内外の両フランジ部材をねじ止め固定するものであるため、施工時には、槽外側で槽外フランジ部材を支持する者と、槽内側から槽外フランジ部材に対し槽内フランジ部材をねじ止め固定する者との二人で作業するのが一般的であった。
【０００４】
そこで下記特許文献１、２は、上記のような浴槽用配管接続具を一人作業で施工できるようにした技術を開示している。
【０００５】
特許文献１に示す配管接続具は、槽外フランジ部材として折り畳み可能なものを準備しておき、折り畳み状態の槽外フランジ部材を槽内側から浴槽孔に通して槽外に配置して展開するとともに、その槽外フランジ部材に対し、槽内側から槽内フランジ部材をねじ止め固定するようにしている。
【０００６】
特許文献２に示す配管接続具は、槽外フランジ部材として浴槽孔に挿通できる特殊な形状のものを準備しておき、その特殊形状の槽外フランジ部材を槽内側から浴槽孔に通して槽外に配置するとともに、その槽外フランジ部材に対し、槽内側から槽内フランジ部材をねじ止め固定するようにしている。
【特許文献１】特許第３５１３５８２号（図１−６）
【特許文献２】特開２０００−５５４７８号（図７、１１、１３）
【発明の開示】
【発明が解決しようとする課題】
【０００７】
しかしながら、特許文献１、２に示す従来の浴槽用配管接続具は、槽外フランジ部材を槽内側から浴槽孔に挿通するものであるため、折り畳み可能な槽外フランジ部材や、特殊形状の槽外フランジ部材を採用する必要があり、構造の複雑化を来たすばかりか、施工作業が困難になるとともに、コストも増大するという問題を抱えている。
【０００８】
この発明は、上記従来技術の問題を解消し、構造の簡素化及びコストの削減を図ることができる上、簡単に施工することができる浴槽用配管接続具及びその施工方法を提供することを目的とする。
【課題を解決するための手段】
【０００９】
上記目的を達成するため、本発明は、以下の構成を要旨としている。
【００１０】
［１］  浴槽壁を貫通する浴槽孔に取り付けられる浴槽用配管接続具であって、
浴槽壁外面の浴槽孔周辺に配置され、外部配管を接続可能な外管接続部を有する槽外フランジ部材と、
浴槽壁内面の浴槽孔周辺に配置され、浴槽孔に対応してねじ止め孔が設けられた槽内フランジ部材と、
頭部が前記槽内フランジ部材の槽内側におけるねじ止め孔周縁部に係止されるととともに、軸部が前記ねじ止め孔に挿通されて、前記槽外フランジ部材にねじ込み固定される連結ねじと、
前記槽外フランジ部材の外管接続部に供給された温水を浴槽内に吐出するための吐出口を有し、前記槽内フランジ部材の槽内側にねじ止め固定される槽内取付部材と、を備え、
前記槽内フランジ部材は、前記連結ねじの頭部を挿通可能な頭部挿通部と、その頭部挿通部及び前記ねじ止め孔間を連通し、かつ前記頭部挿通部に挿通配置された前記連結ねじを前記ねじ止め孔まで案内するためのねじ案内溝とが設けられたことを特徴とする浴槽用配管接続具。
【００１１】
［２］  前記連結ねじは２本設けられ、その２本の連結ねじに対応して、前記ねじ止め孔、前記ねじ案内溝及び前記頭部挿通部が２つずつ設けられる前項１に記載の浴槽用配管接続具。
【００１２】
［３］  前記頭部挿通部と前記ねじ止め孔とが前記槽内フランジ部材の中心位置から等距離に設けられるとともに、両孔間を連通する前記ねじ案内溝が前記槽内フランジ部材の中心位置を中心とする円弧線に沿って形成される前項１又は２に記載の浴槽用配管接続具。
【００１３】
［４］  前記槽内フランジ部材のねじ案内溝に、連結ねじが案内方向に対し逆方向に移動するのを阻止するための狭幅部が設けられる前項１〜３のいずれか１項に記載の浴槽用配管接続具。
【００１４】
［５］  前記槽内取付部材の槽外側には、前記吐出口に連通する連通パイプが設けられ、その連通パイプが前記槽内フランジ部材の頭部挿通部を通じて前記槽外フランジ部材の外管接続部に連通される前項１〜４のいずれか１項に記載の浴槽用配管接続具。
【００１５】
［６］  前記槽外フランジ部材の少なくとも一部が浴槽孔に挿通可能に、かつその挿通状態で浴槽孔内周面に係合可能に構成される前項１〜５のいずれか１項に記載の浴槽用配管接続具。
【００１６】
［７］  内周溝を有する環状パッキン部材がその内周溝に前記槽内フランジ部材の外周縁部を嵌め込むように配置され、
前記環状パッキン部材の一側壁部が前記槽内フランジ部材及び浴槽壁間における周縁部の水密を図るための第１パッキンとして構成されるとともに、他側壁部が前記槽内フランジ部材及び前記槽内取付部材間における周縁部の水密を図るための第２パッキンとして構成される前項１〜６のいずれか１項に記載の浴槽用配管接続具。
【００１７】
［８］  前記槽外フランジ部材の外管接続部は第１及び第２の２つの外管接続部を有し、
前記槽内取付部材に設けられた吸込口と前記第１外管接続部とが第１流路によって連通接続されるとともに、前記槽内取付部材に設けられた吐出口と前記第２外管接続部とが第２流路によって連通接続され、
浴槽内の水が前記吸込口から吸い込まれて、前記第１流路及び前記第１外管接続部を介して外部に排出されつつ、前記第２外管接続部に供給された温水が、前記第２流路及び前記吐出口を介して浴槽内に供給されるようにした前項１〜７のいずれか１項に記載の浴槽用配管接続具。
【００１８】
［９］  浴槽壁を貫通する浴槽孔に取り付けられる浴槽用配管連結具の施工方法であって、
外部配管を接続可能な外管接続部を有する槽外フランジ部材における槽内側に連結ねじの先端をねじ込んだねじ付き槽外フランジ部材と、
ねじ止め孔を有する槽内フランジ部材と、
前記外管接続部に供給された温水を浴槽内に吐出するための吐出口を有する槽内取付部材と、を準備し、
槽外側から前記ねじ付き槽外フランジ部材を浴槽壁外面の浴槽孔周辺に配置して、前記連結ねじの頭部を浴槽孔に通して槽内側に配置しておき、
槽内側から前記槽内フランジ部材を浴槽壁内面の浴槽孔周辺に配置するとともに、前記連結ねじを前記ねじ止め孔に配置し、その状態で前記連結ねじを前記槽外フランジ部材に締結することにより、前記槽外フランジ部材及び前記槽内フランジ部材を浴槽壁の浴槽孔周縁部に挟持させ、
次いで、前記槽内取付部材を前記槽内フランジ部材の槽内側に固定するようにしたことを特徴とする浴槽用配管接続具の施工方法。
【００１９】
［１０］  前記槽内フランジ部材は、前記連結ねじの頭部を挿通可能な頭部挿通部と、前記頭部挿通部及び前記ねじ止め孔間を連通し、かつ前記連結ねじの軸部を挿通可能なねじ案内溝とが設けられ、
前記連結ねじを前記ねじ止め孔に配置するに際して、前記連結ねじの頭部を前記頭部挿通部に挿通してから、その連結ねじを前記ねじ案内溝を介して前記ねじ止め孔まで案内するようにした前項９に記載の浴槽用配管接続具の施工方法。
【発明の効果】
【００２０】
発明［１］にかかる浴槽用配管接続具によれば、連結ねじの頭部を頭部挿通部に挿通し、そのねじをねじ案内溝を介してねじ止め孔に案内することにより、槽内フランジ部材をねじ付きの槽外フランジ部材に対し後付けで組み付けることができる。このためねじ付きの槽外フランジ部材をその連結ねじを浴槽孔に槽外側から挿入して孔周縁部に係止して仮保持しておいて、槽内側から槽内フランジ部材をねじ付き槽外フランジ部材に対し後付けで組み付けることにより、専用の治具等を一切使用せずに、一人作業で簡単に施工することができる。しかも本発明の浴槽用配管接続具は、構造も簡素であり、コストも削減することができる。
【００２１】
発明［２］にかかる浴槽用配管接続具によれば、内外両フランジ部材をバランス良く安定した状態に固定することができる。
【００２２】
発明［３］にかかる浴槽用配管接続具によれば、頭部挿通部にねじ頭部を挿通した後、槽内フランジ部材を槽外フランジ部材に対し相対的に軸心回りに回転操作するだけで簡単に、ねじをねじ案内溝に沿ってねじ止め孔まで案内することができ、施工作業をスムーズに行うことができる。
【００２３】
発明［４］にかかる浴槽用配管接続具によれば、ねじ止め孔に配置されたたねじが、ねじ案内溝に沿って不本意にも逆戻りするのを防止でき、施工作業をより一層スムーズに行うことができる。
【００２４】
発明［５］にかかる浴槽用配管接続具によれば、槽内フランジ部材に連通パイプ挿通用の孔等を別途設ける必要がなく、その分、構造の簡素化を図ることができる。
【００２５】
発明［６］にかかる浴槽用配管接続具によれば、槽外フランジ部材を施工する際に、槽外フランジ部材をその一部を連結ねじと共に浴槽孔に係合することにより、確実に仮保持させることができる。
【００２６】
発明［７］にかかる浴槽用配管接続具によれば、部品点数を削減することができる。
【００２７】
発明［８］によれば、上記の効果を奏する無極性タイプの浴槽用配管接続具を提供することができる。
【００２８】
発明［９］［１０］によれば、上記と同様に一人作業で簡単に施工できる浴槽用配管接続具の施工方法を提供することができる。
【発明を実施するための最良の形態】
【００２９】
図１〜３はこの発明の実施形態である浴槽用配管接続具を示す図である。これらの図に示すように、この配管接続具は、浴槽（Ｔ）の外部に設けられた給湯機から供給される温水を浴槽（Ｔ）内に供給するようにした湯はり等の貯湯処理と、浴槽（Ｔ）内の温水を吸い込んで給湯機に送り、そこで再加熱して、所望温度に加熱された温水を浴槽（Ｔ）に戻すようにした追い炊き等の強制循環処理とを行えるものである。
【００３０】
なおこの配管接続具は、後に詳述するように外管接続部（１２ａ）（１２ｂ）に対して、給湯機につながる往き管及び戻り管のどちらを接続しても使用可能な、いわゆる無極性タイプのものである。
【００３１】
図１〜３に示すように本実施形態の浴槽用配管接続具は、槽外フランジ部材（１）、槽内フランジ部材（２）、槽内取付部材としての流路形成部材（３）、フィルター部材（６）、連結ねじ（７）（７）及びパッキン（８１）（８２）を基本的な構成要素として備えている。
【００３２】
図１〜６に示すように槽外フランジ部材（１）は、浴槽孔（Ｈ）の直径よりも少し大きい外径を有する円板状の基板（１１）を備え、基板（１１）の後面側（槽外側）には、図１〜３の組付状態において左右２箇所に、後方（槽外方向）に延びる円筒状外管接続部（１２ａ）（１２ｂ）が形成されている。この外管接続部（１２ａ）（１２ｂ）は、前端が基板（１１）の前面側（槽内側）に開放されている。更に基板（１１）には、図１〜３の組付状態において上下２箇所にねじ止め孔（１３）（１３）が形成されている。
【００３３】
なお外管接続部（１２ａ）（１２ｂ）は基板中心位置を対称点とする点対称位置の関係にあり、上下のねじ止め孔（１３）（１３）も同様に、点対称位置の関係にある。更に外管接続部（１２ａ）（１２ｂ）の基板中心位置からの距離と、ねじ止め孔（１３）（１３）の基板中心位置からの距離とは等しく設定されている。
【００３４】
この槽外フランジ部材（１）は、その基板（１１）の外周縁部が浴槽壁外面における浴槽孔（Ｈ）の周縁部に沿うように配置される。
【００３５】
また槽外フランジ部材（１）のねじ止め孔（１３）（１３）には、２本の長尺な連結ねじ（７）（７）が少量ねじ込まれて固定されている。この２本の連結ねじ（７）（７）は施工時には頭部（７２）（７２）が浴槽孔（Ｈ）を通じて浴槽内側に配置される。
【００３６】
図７に示すように、槽内フランジ部材（２）は、浴槽孔（Ｈ）の直径よりも大きい外径を有する円板状の基板（２１）により構成されている。この基板（２１）には、槽外フランジ部材（１）の外管接続部（１２ａ）（１２ｂ）に対応して、頭部挿通部としての頭部挿通孔（２２）（２２）が形成されている。この頭部挿通孔（２２）は、直径が連結ねじ（７）の頭部（７２）の外径よりも大きく形成されて、ねじ頭部（７２）を挿通できるよう構成されている。
【００３７】
また基板（２１）には、上記槽外フランジ部材（１）のねじ止め孔（１３）（１３）に対応してねじ止め孔（２３）（２３）が形成されている。このねじ止め孔（２３）は、直径が連結ねじ（７）の軸部（７３）の外径よりも大きく、かつねじ頭部（７２）の外径よりも小さく形成されて、ねじ軸部（７３）の挿通を許容しつつ、ねじ頭部（７２）の挿通を阻止するよう構成されている。
【００３８】
また基板（２１）には、ねじ止め孔（２３）及び頭部挿通孔（２２）間を連通するスリット状のねじ案内溝（２５）が形成されている。このねじ案内溝（２５）は、溝幅が連結ねじ（７）の軸部（７３）の外径よりも大きく、かつねじ頭部（７２）の外径よりも小さく形成され、ねじ（７）をその軸部（７３）を挿通した状態でねじ案内溝（２５）に沿って移動できるよう構成されている。更にねじ案内溝（２５）の途中位置には、溝側縁部から溝内に突出するように戻り防止用突起部（２５ａ）が形成されており、後述するようにこの突起部（２５ａ）によって溝幅が狭くなった部分が、連結ねじ（７）が案内方向に対し逆方向に移動するのを阻止するための狭幅部として構成されている。
【００３９】
なお槽内フランジ部材（２）において、頭部挿通孔（２２）（２２）は、上記槽外フランジ部材（１）の外管接続部（１２ａ）（１２ｂ）と同様、点対称位置の関係にあり、ねじ止め孔（２３）（２３）は、ねじ止め孔（１３）（１３）と同様、点対称位置の関係にある。また頭部挿通孔（２２）（２２）の基板中心位置からの距離と、ねじ止め孔（２３）（２３）の基板中心位置からの距離とは等しく設定されている。更に頭部挿通孔（２２）及びねじ止め孔（２３）間を連通するねじ案内溝（２５）は、基板中心位置を中心とする円弧線状に沿う円弧形状を有している。
【００４０】
また槽内フランジ部材（２）の外周部には、後述する流路形成部材（３）をねじ止め固定するための３つのねじ止め孔（２７）が周方向に所定間隔おきに形成されている。
【００４１】
図１〜３に示すようにこの槽内フランジ部材（２）は、基板（１１）の外周縁部が浴槽壁内面における浴槽孔（Ｈ）の周縁部に平板リング状の第１パッキン（８１）を介して水密状態に接合配置された状態で、槽内フランジ部材（２）のねじ止め孔（２３）（２３）に挿通配置された連結ねじ（７）（７）が槽外フランジ部材（２）のねじ止め孔（１３）（１３）にそれぞれ締め付けられる。これにより内外両フランジ部材（１）（２）が浴槽孔（Ｈ）の周縁部を挟持して、浴槽壁に固定される。
【００４２】
なお両フランジ部材（１）（２）等の施工手順の詳細については後述する。
【００４３】
図８に示すように、槽内取付部材としての流路形成部材（３）は、円盤状ケーシング（４）と、第１及び第２流路（Ａ）（Ｂ）の一部を構成する第１及び第２連通パイプ（５ａ）（５ｂ）とを備えている。
【００４４】
円盤状ケーシング（４）は、径方向の大きさが上記槽内フランジ部材（２）とほぼ同じ大きさに形成されており、円板状の後壁（４１）と、その後壁（４１）の前面側（槽内側）外周を囲うように形成された外周壁（４５）と、外周壁（４５）の前面側開口を閉塞するように配置される円板状の蓋体（前壁４２）とを備えている。
【００４５】
２本の連通パイプ（５ａ）（５ｂ）は、上記槽外フランジ部材（１）の２本の外管接続部（１２ａ）（１２ｂ）にそれぞれ対応して、後方（槽外方向）に延びるように後壁（４１）に一体に形成されている。なおこの連通パイプ（５ａ）（５ｂ）の前端は円盤状ケーシング（４）の内部に開放されている。
【００４６】
円盤状ケーシング（４）内は、内周及び中間に仕切壁（４６）が設けられて、中間部両側に配置される第１及び第２区画室（３ａ）（３ｂ）と、下方領域に配置される吐出室（３ｃ）とに区分けされている。このうち中間部両側に配置される第１及び第２区画室（３ａ）（３ｂ）は、互いに非導通状態に形成されて、上記連通パイプ（５ａ）（５ｂ）にそれぞれ連通されている。第１区画室（３ａ）と吐出室（３ｃ）との間は第１区画室出口（３１ａ）を介して連通されるとともに、第２区画室（３ｂ）と吐出室（３ｃ）との間は第２区画室出口（３１ｂ）を介して連通されている。
【００４７】
外周壁（４５）の下方側には、吐出室（３ｃ）に対応して吐出口（３５）が形成され、この吐出口（３５）を介して吐出室（３ｃ）が外部に開放されている。
【００４８】
また前壁（４２）には、第１及び第２区画室（３ａ）（３ｂ）に対応して、第１及び第２吸込口（３２ａ）（３２ｂ）が形成され、この第１及び第２吸込口（３２ａ）（３２ｂ）を介して浴槽内が第１及び第２区画室（３ａ）（３ｂ）に連通されている。
【００４９】
円盤状ケーシング（４）の外周部には、周方向に等間隔おきに３つのねじ止め孔（４７）が、前壁（４２）から後壁（４１）にかけて貫通するように形成されている。
【００５０】
また円盤状ケーシング（４）の外周面には、フィルター部材取付用の複数の鉤状溝（３７）が形成されている。
【００５１】
図１〜３に示すように、この流路形成部材（３）は、連結パイプ（５ａ）（５ｂ）が槽内フランジ部材（２）の頭部挿通孔（２２）（２２）に挿通されて、槽外フランジ部材（１）の外管接続部（１２ａ）（１２ｂ）にＯリング（１５）（１５）を介して水密状態に連通接続されるとともに、円盤状ケーシング（４）の後壁（４１）が槽内フランジ部材（２）に平板リング状の第２パッキン（８２）を介して水密状態に接合配置した状態で、３本のねじ（５７）が円盤状ケーシング（４）の前面側から３つのねじ止め孔（４７）にそれぞれ挿通されて、槽内フランジ部材（２）の３つのねじ止め孔（２７）にそれぞれ締結固定される。これにより流路形成部材（３）が槽内フランジ部材（２）に固定される。
【００５２】
この状態においては、槽外フランジ部材（１）の第１外管接続部（１２ａ）が第１連結パイプ（５ａ）を介して第１区画室（３ａ）に連通されるとともに、第２外管接続部（１２ｂ）が第２連結パイプ（５ｂ）を介して第２区画室（３ｂ）に連通されている。
【００５３】
ここで本実施形態においては、第１区画室（３ａ）及び第１連結パイプ（５ａ）によって第１流路（Ａ）が構成されるとともに、第２区画室（３ｂ）及び第２連結パイプ（５ｂ）によって第２流路（Ｂ）が構成されている。
【００５４】
図８に示すように、流路形成部材（３）に設けられる弁部材（９）（９）は、合成ゴムの一体成形品をもって構成されている。この弁部材（９）（９）は、断面略「へ」の字形に形成されており、その一片が矩形板状の吐出弁（９１）として構成されるとともに、他片が矩形板状の吸込弁（９２）として構成されている。
【００５５】
図２及び図３に示すように、この弁部材（９）における吐出弁（９１）及び吸込弁（９２）間の連結部が、円盤状ケーシング（４）の前壁内面側に固定される。これにより自然状態においては、弁部材（９）（９）の吐出弁（９１）（９１）が、区画室出口（３１ａ）（３１ｂ）を吐出室（３ｃ）側から閉塞するように配置されるとともに、吸込弁（９２）（９２）が、吸込口（３２ａ）（３２ｂ）を区画室（３ａ）（３ｂ）側から閉塞するように配置される。
【００５６】
こうして取り付けられた弁部材（９）（９）において、吐出弁（９１）（９１）は、その外周縁部が吐出室（３ｃ）側における区画室出口（３１ａ）（３１ｂ）の周縁部（弁座部）に弾性力により密着しており、吐出室（３ｃ）側から区画室（３ａ）（３ｂ）側に温水が流れ込もうとした際には、その水圧によって、吐出弁（９１）（９１）の区画室出口（３１ａ）（３１ｂ）に対する閉塞状態が維持されて、その方向の温水の流通が規制されるとともに、逆に、区画室（３ａ）（３ｂ）側から吐出室（３ｃ）側に温水が流れ込もうとした際には、その水圧によって、吐出弁（９１）（９１）が吐出室（３ｃ）側に揺動するように弾性変形することにより、区画室出口（３１ａ）（３１ｂ）が開放され、その方向の温水の流通が許容されるよう構成されている。従って弁部材（９）（９）の吐出弁（９１）（９１）は、吐出室（３ｃ）に対し、温水の排出方向の流通は許容し、かつ吸込方向の流通は阻止する逆止弁として機能する。
【００５７】
更に弁部材（９）（９）の吸込弁（９２）（９２）は、その外周縁部が区画室（３ａ）（３ｂ）側における吸込口（３２ａ）（３２ｂ）の周縁部（弁座部）に弾性力により密着しており、区画室（３ａ）（３ｂ）側から外部に温水が流れ出そうとした際には、水圧によって、吸込弁（９２）（９２）の吸込口（３２ａ）（３２ｂ）に対する閉塞状態が維持されて、その方向の温水の流通が規制されるとともに、逆に、外部から区画室（３ａ）（３ｂ）側に温水が流れ込もうとした際には、その水圧によって、吸込弁（９２）（９２）が内側に弾性変形することにより、吸込口（３２ａ）（３２ｂ）が開放されて、その方向の温水の流通が許容されるよう構成されている。従って、弁部材（９）（９）の吸込弁（９２）（９２）は、区画室（３ａ）（３ｂ）に対し、温水の吸込方向の流通は許容し、かつ吐出方向の流通は阻止する逆止弁として機能する。
【００５８】
図１〜３に示すようにフィルター部材（６）は、流路形成部材（３）における円盤状ケーシング（４）をその前面から外周側面を覆うように配置されるものであり、フィルター部材（６）における周側壁の内面には、上記流路形成部材（３）の外周面に設けられた複数の鉤状溝（３７）に対応して、複数の係合突起（図示省略）が内方突出状に形成されている。そして、この係合突起が鉤状溝（３７）にそれぞれ挿入係合されることにより、フィルター部材（６）が、流路形成部材（３）の円盤状ケーシング（４）に着脱自在に取り付けられている。
【００５９】
このフィルター部材（６）の前面部には、複数の吸込用開口（６１）が形成されるとともに、吸込用開口（６１）には、フィルター本体としての金属製メッシュシートが配置されている。更にフィルター部材（６）の周側壁には、流路形成部材（３）の吐出口（３５）に対応して吐出用開口（６５）が形成されている。
【００６０】
次に上記浴槽用配管接続具の施工手順について説明する。なお本実施形態の施工作業は、一人の作業者で行うものである。
【００６１】
まず、槽外フランジ部材（１）に２本の連結ねじ（７）（７）を少量ねじ込んで固定しておく。
【００６２】
そして図６に示すようにそのねじ付き槽外フランジ部材（１）の連結ねじ（７）（７）を、浴槽（Ｔ）の側壁外面側から浴槽孔（Ｈ）に挿通して、基板（１１）の外周端縁を浴槽壁外面側に当接させた状態で、連結ねじ（７）（７）の頭部（７２）（７２）を浴槽壁における浴槽孔（Ｈ）の周縁部に係止する。この状態では、基板（１１）の外周端縁が浴槽壁外面に係止して、ねじ頭部（７２）（７２）が浴槽孔（Ｈ）の周縁部に引っ掛かるため、槽外フランジ部材（１）は、浴槽壁に２点で支持されることになり、作業者が手を離したとしても仮保持される。
【００６３】
こうしてねじ付き槽外フランジ部材（１）を浴槽外側に仮保持した状態で、作業者は浴槽内側に回り込んで、浴槽内の取付作業を行う。
【００６４】
すなわち図１〜３に示すように浴槽孔（Ｈ）に係止されたねじ（７）（７）を槽内側に引き込んで、そのねじ（７）（７）に槽内側から第１パッキン（８１）を外嵌する。その後、ねじ（７）（７）の頭部（７２）（７２）を槽内フランジ部材（２）の頭部挿通孔（２２）（２２）に挿通させて槽内フランジ部材（２）の前面側（槽内側）に配置する。こうしてねじ（７）（７）を槽内フランジ部材（２）に挿通配置させるとともに、その槽内フランジ部材（２）と浴槽内面との間に第１パッキン（８１）を配置する。
【００６５】
続いて槽内フランジ部材（２）を槽外フランジ部材（１）に対し相対的に軸心回りに回転させるようにして、ねじ（７）（７）をねじ案内溝（２５）（２５）に沿って移動させて、ねじ止め孔（２３）（２３）に配置する。
【００６６】
ここで本実施形態においては、図７に示すように槽内フランジ部材（２）におけるねじ案内溝（２５）の途中位置に、溝幅を小さくするように戻り防止用突起部（２５ａ）を形成しているため、ねじ（７）をねじ止め孔（２３）に案内する際には、突起部（２５ａ）において溝幅を押し広げるように変形させてねじ（７）を強制的に通過させるものである。こうして突起部（２５ａ）を乗り越えたねじ（７）は、突起部（２５ａ）に係止することにより、頭部挿通孔（２２）側へ不用意に戻るのが防止されるため、ねじ（７）をねじ止め孔（２３）内に確実に配置でき、良好な作業性を得ることができる。
【００６７】
続いて図１〜３に示すように槽内フランジ部材（２）を第１パッキン（８１）を介して、浴槽内壁面における浴槽孔（Ｈ）の周縁部に接合しつつ、ねじ（７）（７）をドライバー等によって締め付けていく。これにより槽外フランジ部材（１）が浴槽外壁面に引き寄せられて、両フランジ部材（１）（２）が浴槽壁の孔周縁部を挟持し、両フランジ部材（１）（２）が浴槽壁に固定される。
【００６８】
続いて流路形成部材（３）を、その連結パイプ（５ａ）（５ｂ）を槽内フランジ部材（２）の頭部挿通孔（２２）（２２）に挿通して、槽外フランジ部材（１）の外管接続部（１２ａ）（１２ｂ）にＯリング（１５）（１５）を介して連通接続するとともに、円盤状ケーシング（４）の後壁（４１）を槽内フランジ部材（２）に第２パッキン（８２）を介して接合した状態で、ねじ（５７）を円盤状ケーシング（４）のねじ止め孔（４７）に挿通して、槽内フランジ部材（２）のねじ止め孔（２７）に締め付けて固定する。
【００６９】
その後、フィルター部材（６）を流路形成部材（３）の円盤状ケーシング（４）に外嵌して固定する。これにより本実施形態の水槽用配管接続具の組付施工作業が完了する。
【００７０】
こうして浴槽（Ｔ）に施工された接続具においては、槽外フランジ部材（１）の外管接続部（１２ａ）（１２ｂ）に、室外給湯機からの配管が連結されて、浴槽システムが形成される。
【００７１】
この浴槽システムにおいて、浴槽内に温水を供給して貯留する場合には、２つの外管接続部（１２ａ）（１２ｂ）の双方に温水を供給して、２つの流路（Ａ）（Ｂ）が給湯流路として利用される。すなわち第１及び第２外管接続部（１２ａ）（１２ｂ）に供給された温水は、第１及び第２連通パイプ（５ａ）（５ｂ）を通って第１及び第２区画室（３ａ）（３ｂ）に流入される。区画室（３ａ）（３ｂ）に流入された温水は、水圧によって弁部材（９）（９）の吐出弁（９１）（９１）を押し開いて、吐出室（３ｃ）、吐出口（３５）及び吐出用開口（６５）を通って浴槽内に供給される。
【００７２】
一方、浴槽（Ｔ）内の温水を再加熱するような追い焚き処理を行う場合には、２つの流路（Ａ）（Ｂ）のうち、室外給湯機の往き管に接続された側の流路が給湯側流路として機能し、戻り管に接続された側の流路が吸込側流路として機能して、いわゆる強制循環が行われる。例えば第１流路（Ａ）が給湯側流路、第２流路（Ｂ）が吸込側流路となるように配管接続された場合には、給湯機から供給される温水は、第１流路（Ａ）を通って第１区画室（３ａ）に流入され、第１区画室出口（３１ａ）の吐出弁（９１）を開いて、吐出室（３ｃ）に流入されて、吐出口（３５）及び吐出用開口（６５）を介して浴槽（Ｔ）内に供給される。
【００７３】
また吸込側流路においては、室外給湯機の戻り管及び第２流路（Ｂ）の負圧に伴い、第２区画室（３ｂ）が負圧となる。このため、浴槽（Ｔ）内の水圧によって、流路形成部材（３）における第２吸込口（３２ｂ）の吸込弁（９２）が開放して、浴槽（Ｔ）内の温水がフィルター部材（６）を介して第２吸込口（３２ｂ）を通って第２区画室（３ｂ）内に流入されて、更に第２流路（Ｂ）を通って室外給湯機に戻される。
【００７４】
なお、温水口装置の２の流路（Ａ）（Ｂ）が、室外給湯機の往き管及び戻り管に対し、上記とは逆に接続した場合には、各流路（Ａ）（Ｂ）を温水が上記とは逆方向に流通して、強制循環されるものである。
【００７５】
以上のように本実施形態の浴槽用配管接続具によれば、槽内フランジ部材（２）に頭部挿通孔（２２）（２２）と、ねじ止め孔（２３）（２３）と、両孔（２２）（２３）間を連通するねじ案内溝（２５）（２５）とを形成するものであるため、連結ねじ（７）（７）の頭部（７２）（７２）を頭部挿通孔（２２）（２２）に挿通し、そのねじ（７）（７）をねじ案内溝（２５）（２５）を介してねじ止め孔（２３）（２３）に案内することにより、槽内フランジ部材（２）をねじ付きの槽外フランジ部材（１）に対し後付け取り付けることができる。このためねじ付きの槽外フランジ部材（１）をその連結ねじ（７）（７）を浴槽孔（Ｈ）に槽外側から挿入して孔周縁部に係止して仮保持しておいて、槽内側から槽内フランジ部材（２）をねじ付き槽外フランジ部材（１）に対し後付けで組み付けることにより、専用の治具等を一切使用せずに、一人作業で簡単に施工することができる。
【００７６】
更に本実施形態においては、槽内フランジ部材８２）に頭部挿通孔（２２）やねじ案内溝（２５）を形成するだけで簡単に作製できるため、構造の簡素化及びコストの削減をより確実に図ることができる。
【００７７】
しかも本実施形態においては、無理なく施工でき、構造の簡素化及びコストの削減を図ることができる。すなわち上記特許文献（特許第３５１３５８２号、特開２０００−５５４７８号）に示す従来の配管接続具のように、槽外に取り付ける部材を浴槽内側から浴槽孔に通してから槽外に取り付けるような構成においては、槽外取付部材を浴槽孔に挿通できるように構成する必要があり、構造の複雑化及びコストの増大を招くとともに、槽外取付部材を浴槽孔に挿通する等、面倒な操作も必要となり、施工作業がより一層困難になってしまう。
【００７８】
これに対し、本実施形態においては、槽外フランジ部材（１）等の槽外に取り付ける部材は槽外から施工するとともに、槽内フランジ部材（２）等の槽内に取り付ける部材は槽内から施工するものであるため、無理なく簡単に施工できるとともに、構造の簡素化及びコストの削減を図ることができる。
【００７９】
また本実施形態では、２本の連結ねじ（７）（７）により槽内フランジ部材（２）を槽外フランジ部材（１）にねじ止め固定するものであるため、両フランジ部材（１）（２）をバランス良く安定した状態に固定することができる。更にねじ付き槽外フランジ部材（１）を浴槽孔に仮保持する際にも、２本の連結ねじ（７）（７）によって安定状態に保持させることができ、槽外フランジ部材（１）の脱外等の不具合をより確実に防止することができる。
【００８０】
また本実施形態においては、頭部挿通孔（２２）とねじ止め孔（２３）とを槽内フランジ部材（２）の中心位置から等距離に設けるとともに、両孔（２２）（２３）間を連通するねじ案内溝（２５）を槽内フランジ部材（２）の中心位置を中心とする円弧線に沿って円弧状に形成するものであるため、頭部挿通孔（２２）にねじ頭部（７２）を挿通した後、槽内フランジ部材（２）を槽外フランジ部材（１）に対し相対的に軸心回りに回転操作するだけで簡単に、ねじ（７）をねじ案内溝（２５）に沿ってねじ止め孔（２３）まで案内することができ、施工作業をスムーズに行うことができる。
【００８１】
更に槽内フランジ部材（２）におけるねじ案内溝（２５）の途中に戻り防止用突起部（２５ａ）を形成しているため、ねじ止め孔（２３）に配置したねじ（７）は、突起部（２５ａ）に当接係止することにより、ねじ案内溝（２５）に沿って逆戻りするのを防止することができる。このようにねじ（７）がねじ止め孔（２３）から位置ずれするのを防止でき、施工作業をより一層スムーズに行うことができる。
【００８２】
また本実施形態においては、流路形成部材（３）の連通パイプ（５ａ）（５ｂ）を槽内フランジ部材（２）の頭部挿通孔（２２）（２２）に通して、槽外フランジ部材（１）の外管接続部（１２ａ）（１２ｂ）に連通接続するものであるため、槽内フランジ部材（２）に連通パイプ挿通用の孔等を別途設ける必要がなく、その分、構造の簡素化を図ることができる。
【００８３】
図９及び図１０はこの発明の他の実施形態である浴槽用配管接続具に用いられた槽外フランジ部材（１）を示す図である。両図に示すようにこの接続具に用いられる槽外フランジ部材（１）は、縦横のうち一方側の寸法が浴槽孔（Ｈ）の直径よりも小さく、かつ他方側の寸法が浴槽孔（Ｈ）よりも大きい細長形状の基板（１１）を有している。そしてこの槽外フランジ部材（１）は、長さ方向の両端部（１１ａ）（１１ａ）を浴槽孔（Ｈ）の槽外側周縁部に圧接させるとともに、槽内フランジ部材（２）の外周縁部を浴槽孔（Ｈ）の槽内側周縁部に圧接させるように、連結ねじ（７）（７）を槽内フランジ部材（２）側から槽外フランジ部材（１）に締め付け固定するものである。その他の構成は上記実施形態と同様である。
【００８４】
この実施形態の配管接続具においては、槽外フランジ部材（１）の基板（１１）を浴槽孔（Ｈ）に挿通することができるため、施工時に、図１１に示すように基板（１１）を浴槽孔（１１）に係止しておけば、連結ねじ（７）（７）の軸部（７３）（７３）を浴槽孔（１１）に係止するだけで、槽外フランジ部材（１）を仮保持することができる。つまり仮保持状態において、連結ねじ（７）（７）の頭部（７２）（７２）を浴槽内部に大きく引き出して配置することができる。このため、浴槽内側から連結ねじ（７）（７）を槽内フランジ部材（２）の頭部挿通孔（２２）等への挿入作業を容易に行うことができ、施工作業をより一層スムーズに行うことができる。
【００８５】
なおこの実施形態のように、槽外フランジ部材（１）を浴槽孔（Ｈ）に係止させるためには、槽外フランジ部材（１）の少なくとも一部を、浴槽孔（Ｈ）に挿入できるような構成を採用すれば良い。
【００８６】
ところで上記他の実施形態のように、槽外フランジ部材（１）の基板（１１）を浴槽孔（Ｈ）に挿通できるように形成すると、浴槽孔（Ｈ）の一部が浴槽外側に開放されることになるが、槽内フランジ部材（２）における基板（１１）の前後両面に第１及び第２パッキン（８１）（８２）を装着しているため、浴槽内と浴槽孔（Ｈ）内部との間の水密、ひいては浴槽内と浴槽外部との水密を確実に図ることができる。
【００８７】
図１２はこの発明の第１変形例としての浴槽用配管接続具におけるパッキン部材付き槽内フランジ部材（２）を示す図である。この槽内フランジ部材（２）の外周縁部に沿ってパッキン部材（８０）が取り付けられている。すなわち環状パッキン部材（８０）は、連続する内周溝（８５）が設けられたコ字型断面の形状を有しており、このパッキン部材（８）が、その内周溝（８５）内に槽内フランジ部材（２）における基板（２１）の外周縁部を嵌め込むようにして配置される。そしてこのパッキン部材（８０）の一側壁部、つまり槽内フランジ部材（２）の後面側外周に配置される部分が、槽内フランジ部材（２）及び浴槽壁間の水密を図るための第１パッキン（８１）として構成されるとともに、パッキン部材（８０）の他側壁部、つまり槽内フランジ部材（２）の前面側外周に配置される部分が、槽内フランジ部材（２）及び流路形成部材（３）間の水密を図るための第２パッキン（８２）として構成される。
【００８８】
この第１変形例においては、第１及び第２パッキン（８１）（８２）が一体化されたパッキン部材（８０）を用いるものであるため、パッキン部材（８０）を装着するだけで、第１及び第２の２つのパッキン（８１）（８２）を装着することができ、部品点数の削減を図ることができ、施工作業をより一層簡単に行うことができる。
【００８９】
なお上記実施形態においては、連結ねじ（７）を２本採用する場合を例に挙げて説明したが、それだけに限られず、本発明においては、１本又は３本以上の連結ねじによって槽内フランジ部材を槽外フランジ部材にねじ止めするように構成しても良い。
【００９０】
例えば図１３に示すように、槽外フランジ部材（１）における基板（１１）の片側にねじ（７）を取り付けて、そのねじ付き槽外フランジ部材（１）を用いて、上記と同様に浴槽（Ｔ）に施工するようにしても良い。このねじ付き槽外フランジ部材（１）においては、施工時に、１本のねじ（７）を浴槽孔（Ｈ）に引っ掛けるようにして、浴槽外面に仮保持するものであるが、その後、槽内フランジ部材（２）を締め付ける際には、ねじ（７）を１本付け加えて、計２本のねじ（７）で槽内フランジ部材（２）を槽外フランジ部材（１）に締め付け固定するようにしても良いし、１本のねじ（７）のままで槽内フランジ部材（２）を槽外フランジ部材（１）に締め付け固定するようにしても良い。
【００９１】
また上記実施形態においては、本発明を無極性タイプの配管接続具に適用した場合を例に挙げて説明したが、本発明は、給湯機につながる往き管及び戻り管が予め設定されている配管接続具にも適用することができる。
【００９２】
更に上記実施形態においては、強制循環タイプの追い焚き可能な装置を例に挙げて説明したが、本発明は、湯はり等の貯湯処理のみを行う配管接続具にも適用することができる。
【００９３】
更に本発明は、温水を浴槽内に供給するだけの１本の流路（シングル配管）を有する配管接続具にも適用することができる。この場合例えば図１４に示すように、槽外フランジ部材（１）としては、基板（１１）に外管接続部（１２）が一つだけ設けられたものを用いれば良い。
【産業上の利用可能性】
【００９４】
この発明の浴槽用配管接続具は、室外給湯機から浴槽内にお湯を供給するに際して、浴槽壁面に設けられる温水アダプター等の温水口装置として利用可能である。
【図面の簡単な説明】
【００９５】
【図１】この発明の実施形態である浴槽用配管接続具を分解して示す斜視図である。
【図２】実施形態の配管接続具を示す側面断面図である。
【図３】実施形態の配管接続具を示す平面断面図である。
【図４】実施形態の配管接続具における槽外フランジ部材を示す斜視図である。
【図５】実施形態の配管接続具における槽外フランジ部材を示す正面図である。
【図６】実施形態の槽外フランジ部材を施工途中の状態で示す側面断面図である。
【図７】実施形態の配管接続具における槽内フランジ部材を示す正面図である。
【図８】実施形態の配管接続具における流路形成部材を分解して斜視図である。
【図９】この発明の他の実施形態である浴槽用配管接続具における槽外フランジ部材を示す斜視図である。
【図１０】他の実施形態の槽外フランジ部材を示す正面図である。
【図１１】他の実施形態の槽外フランジ部材を施工途中の状態で示す側面断面図である。
【図１２】この発明の第１変形例としての浴槽用配管接続具におけるパッキン部材付き槽内フランジ部材を示す図であって、同図（ａ）は正面図、同図（ｂ）は側面断面図である。
【図１３】この発明の第２変形例としての浴槽用配管接続具における槽外フランジ部材を示す斜視図である。
【図１４】この発明の第３変形例としての浴槽用配管接続具における槽外フランジ部材を示す斜視図である。
【符号の説明】
【００９６】
１…槽外フランジ部材
１２、１２ａ、１２ｂ…外管接続部
２…槽内フランジ部材
２２…頭部挿通孔（頭部挿通部）
２３…ねじ止め孔
２５…ねじ案内溝
２５ａ…戻り防止用突起部（狭幅部）
３…流路形成部材（槽内取付部材）
３５…吐出口
３２ａ、３２ｂ…吸込口
５ａ、５ｂ…連通パイプ
７…連結ねじ
７２…頭部
７３…軸部
８…パッキン部材
８１、８２…パッキン
Ａ、Ｂ…流路
Ｈ…浴槽孔
【図１】
2006174923.tif 000003
【図２】
2006174923.tif 000004
【図３】
2006174923.tif 000005
【図４】
2006174923.tif 000006
【図５】
2006174923.tif 000007
【図６】
2006174923.tif 000008
【図７】
2006174923.tif 000009
【図８】
2006174923.tif 000010
【図９】
2006174923.tif 000011
【図１０】
2006174923.tif 000012
【図１１】
2006174923.tif 000013
【図１２】
2006174923.tif 000014
【図１３】
2006174923.tif 000015
【図１４】
2006174923.tif 000016